(57)【要約】【課題】狭額縁と高音質の両立を可能とする表示装置を提供する。【解決手段】表示装置１００は、画像を表示するディスプレイパネル１ａを有する表示部１と、ディスプレイパネル１ａの表面の周縁部を覆うように配置され、表裏方向に貫通する音孔３ａを有する枠部２と、音孔３ａにディスプレイパネル１ａと平行に配置され、四方の端部を枠部２に把持される振動板４ｂと、振動板４ｂに対してディスプレイパネル１ａ側に配置され、かつ、振動板４ｂ上に配置される圧電素子４ａと、を備える。【選択図】図２
2015186197.tif 000002
【特許請求の範囲】
【請求項１】
画像を表示するディスプレイパネルを有する表示部と、
前記ディスプレイパネルの表面の周縁部を覆うように配置され、表裏方向に貫通する音孔を有する枠部と、
前記音孔に前記ディスプレイパネルと平行に配置され、四方の端部を前記枠部に把持される振動板と、
前記振動板に対して前記ディスプレイパネル側に配置され、かつ、前記振動板上に配置される圧電素子と、
を備える表示装置。
【請求項２】
画像を表示するディスプレイパネルを有する表示部と、
前記ディスプレイパネルの表面の周縁部を覆うように配置され、表裏方向に貫通する音孔を有する枠部と、
前記音孔に前記ディスプレイパネルと平行に配置され、四方の端部を前記枠部に把持されるスピーカ部材と、
を備える表示装置。
【請求項３】
画像を表示するディスプレイパネルを有する表示部と、
前記ディスプレイパネルの表面の周縁部および前記表示部の側面を覆うように配置され、表裏方向と垂直に交わる方向に貫通する音孔を有する枠部と、
前記音孔に前記ディスプレイパネルと垂直に配置され、四方の端部を前記枠部に把持され振動可能に構成される振動板と、
前記振動板に対して前記ディスプレイパネル側に配置され、かつ、前記振動板上に配置される圧電素子と、
を備える表示装置。
【請求項４】
略Ｌ字型で前記音孔を覆うように構成され、前記音孔から前記振動板に対して前記ディスプレイパネルと反対側に放音される音声を前記ディスプレイパネルの表面側に誘導する反射板を備える請求項３記載の表示装置。
【発明の詳細な説明】
【技術分野】
【０００１】
本開示は、表示装置に関する。
【背景技術】
【０００２】
特許文献１は、映像を表示する表示部と、表示部の前方に配置され、表示部に表示される映像を透過可能に構成されるとともに、振動可能に構成される１つの振動板と、振動板の水平方向の一方側および他方側のそれぞれに配置され、振動板に振動を伝達することにより振動板から音声を発生させる振動素子と、表示部の映像が表示される領域の外側に配置され、振動板の水平方向の中央部近傍を固定する固定部材とを備える、表示装置を開示する。
【先行技術文献】
【特許文献】
【０００３】
【特許文献１】特開２００９−２３２２９７号公報
【発明の概要】
【発明が解決しようとする課題】
【０００４】
本開示は、狭額縁と高音質の両立を可能とする表示装置を提供する。
【課題を解決するための手段】
【０００５】
本開示の表示装置は、画像を表示するディスプレイパネルを有する表示部と、前記ディスプレイパネルの表面の周縁部を覆うように配置され、表裏方向に貫通する音孔を有する枠部と、前記音孔に前記ディスプレイパネルと平行に配置され、四方の端部を前記枠部に把持される振動板と、前記振動板に対して前記ディスプレイパネル側に配置され、かつ、前記振動板上に配置される圧電素子と、を備える。
【発明の効果】
【０００６】
本開示の表示装置によれば、狭額縁と高音質の両立が可能となる。
【図面の簡単な説明】
【０００７】
【図１】実施の形態１に係る表示装置を表面から見た斜視図。
【図２】実施の形態１に係る表示装置を上面から見た断面図。
【図３】実施の形態２に係る表示装置を上面から見た断面図。
【図４】実施の形態３に係る表示装置を表面から見た斜視図。
【図５】実施の形態３に係る表示装置を上面から見た断面図。
【図６】実施の形態４に係る表示装置を上面から見た断面図。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者（ら）は、当業者が本開示を十分に理解するために添付図面および以下の説明を提供するのであって、これらによって特許請求の範囲に記載の主題を限定することを意図するものではない。
（実施の形態１）
［１−１．構成と動作］
図１は、実施の形態１に係る表示装置を表面から見た斜視図である。
【００１０】
表示装置１００は、画像を表示するディスプレイパネル（図示せず）を有する表示部１、ディスプレイパネルを固定するためにディスプレイパネルの表面の周縁部を覆うように配置される枠部２を備える。枠部２は、表裏方向に貫通する音孔３ａを備える。
【００１１】
図２は、実施の形態１に係る表示装置を上面から見た断面図である。
【００１２】
図２において、ディスプレイパネル１ａおよび光学シート７は、クッション６を介してモールドフレーム９および枠部２により挟み込まれて固定される。
【００１３】
モールドフレーム９は、ディスプレイパネル１ａの光源となるＬＥＤ１０と、ＬＥＤ１０から発せられる光をディスプレイパネル１ａの画面中央まで導く導光板８と、ＬＥＤ１０から発せられる熱を拡散させるための放熱板１１と、を金具１２で挟み込んで固定する。
【００１４】
プリント基板１３は金具１２に固定され、バックカバー１４を金具１２に固定する構造になっている。
【００１５】
先に述べたように、枠部２は、ディスプレイパネル１ａを固定するためにディスプレイパネル１ａの表面の周縁部を覆うように配置され、表裏方向に貫通する音孔３ａを備える。
【００１６】
振動板４ｂは、例えばフィルム形状を有しており、音孔３ａにディスプレイパネル１ａと平行に配置され、その四方の端部を枠部２に把持される。
【００１７】
圧電素子４ａは、振動板４ｂに対してディスプレイパネル１ａ側に配置され、かつ、振動板４ｂ上に配置される。
【００１８】
以上のように構成された表示装置１００について、その動作を以下説明する。
【００１９】
圧電素子４ａは、音声回路（図示せず）と接続されており、電圧がかかると圧電素子自身が変形するように複数の圧電素子を重ね合わせて構成されている。音声回路に音声信号が入力されると、入力された音声信号に対応して圧電素子４ａに電圧がかかり、圧電素子４ａが振動する。圧電素子４ａが振動すると、圧電素子４ａを貼り付け固定している振動板４ｂが圧電素子４ａの振動にあわして振動することにより、音声信号が再生され音孔３ａから放音され、表示装置１００のユーザに伝えられる。
［１−２．効果等］
以上のように、本実施の形態において、表示装置１００は、表示部１と、枠部２と、振動板４ｂと、圧電素子４ａを備える。表示部１は、画像を表示するディスプレイパネル１ａを有する。枠部２は、ディスプレイパネル１ａの表面の周縁部を覆うように配置され、表示方向に貫通する音孔３ａを有する。振動板４ｂは、音孔３ａにディスプレイパネル１ａと平行に配置され、四方の端部を枠部２に把持される。圧電素子４ａは、振動板４ｂに対してディスプレイパネル１ａ側に配置され、かつ、振動板４ｂ上に配置される。
【００２０】
以上の構成により、狭額縁と高音質の両立が可能となる。
（実施の形態２）
［２−１．構成と動作］
図３は、実施の形態２に係る表示装置を上面から見た断面図である。
【００２１】
実施の形態１の表示装置１００と異なる点を中心に説明する。
【００２２】
表示装置１０１において、枠部２は、ディスプレイパネル１ａを固定するためにディスプレイパネル１ａの表面の周縁部を覆うように配置され、表裏方向に貫通する音孔３ａを備える。
【００２３】
振動板５ｃは、エッジ５ｄを介して枠部２に貼り付け固定されている、エッジ５ｄは、例えばやわらかいゴム材質で構成されて、この構成により振動板５ｃは上下に動くことが可能となる。振動板５ｃにはボイスコイル５ａが貼り付け固定されており、プレート５ｂ、マグネット５ｆ、ヨーク５ｅを貼り付け固定した固定金具５ｇを枠部２に位置決め固定することでプレート５ｂ、マグネット５ｆ、ヨーク５ｅの間にボイスコイル５ａを配置している。ボイスコイル５ａ、プレート５ｂ、振動板５ｃ、エッジ５ｄ、マグネット５ｆ、固定金具５ｇ、ヨーク５ｅでスピーカ部材を構成する。
【００２４】
以上のように構成された表示装置１０１について、その動作を以下説明する。
【００２５】
ボイスコイル５ａは、音声回路（図示せず）と接続されており、電圧がかかるとボイスコイル５ａに電流が流れて、マグネット５ｆ、プレート５ｂ、ヨーク５ｅとで構成される磁気回路の磁束との作用により振動する。振動板５ｃもそれに合わせて振動することにより音声信号が再生され、音孔３ａから放音され、表示装置１０１のユーザに伝えられる。
［２−２．効果等］
以上のように、本実施の形態において、表示装置１０１は、表示部１と、枠部２と、スピーカ部材を備える。表示部１は、画像を表示するディスプレイパネル１ａを有する。枠部２は、ディスプレイパネル１ａの表面の周縁部を覆うように配置され、表示方向に貫通する音孔３ａを有する。スピーカ部材は、音孔に前記ディスプレイパネルと平行に配置され、四方の端部を前記枠部に把持される。
【００２６】
以上の構成により、狭額縁と高音質の両立が可能となる。
（実施の形態３）
［３−１．構成と動作］
図４は、実施の形態３に係る表示装置を表面から見た斜視図である。
【００２７】
表示装置１０２は、画像を表示するディスプレイパネル（図示せず）を有する表示部１、ディスプレイパネルを固定するためにディスプレイパネルの表面の周縁部を覆うように配置される枠部２を備える。枠部２は、表裏方向と垂直に交わる方向に貫通する音孔３ｂを備える。
【００２８】
図５は、実施の形態３に係る表示装置を上面から見た断面図である。
【００２９】
図５において、ディスプレイパネル１ａおよび光学シート７は、クッション６を介してモールドフレーム９および枠部２により挟み込まれて固定される。
【００３０】
モールドフレーム９は、ディスプレイパネル１ａの光源となるＬＥＤ１０と、ＬＥＤ１０から発せられる光をディスプレイパネル１ａの画面中央まで導く導光板８と、ＬＥＤ１０から発せられる熱を拡散させるための放熱板１１と、を金具１２で挟み込んで固定する。
【００３１】
プリント基板１３は金具１２に固定され、バックカバー１４を金具１２に固定する構造になっている。
【００３２】
先に述べたように、枠部２は、ディスプレイパネル１ａを固定するためにディスプレイパネル１ａの表面の周縁部および表示部１の側面を覆うように配置され、表裏方向と垂直に交わる方向に貫通する音孔３ｂを備える。
【００３３】
振動板４ｂは、例えばフィルム形状を有しており、音孔３ｂにディスプレイパネル１ａと垂直に配置され、その四方の端部を枠部２に把持される。
【００３４】
圧電素子４ａは、振動板４ｂに対してディスプレイパネル１ａ側に配置され、かつ、振動板４ｂ上に配置される。
【００３５】
以上のように構成された表示装置１０２について、その動作を以下説明する。
【００３６】
圧電素子４ａは、音声回路（図示せず）と接続されており、電圧がかかると圧電素子自身が変形するように複数の圧電素子を重ね合わせて構成されている。音声回路に音声信号が入力されると、入力された音声信号に対応して圧電素子４ａに電圧がかかり、圧電素子４ａが振動する。圧電素子４ａが振動すると、圧電素子４ａを貼り付け固定している振動板４ｂが圧電素子４ａの振動にあわして振動することにより、音声信号が再生され、音孔３ｂから放音され、表示装置１０２のユーザに伝えられる。
［３−２．効果等］
以上のように、本実施の形態において、表示装置１０２は、表示部１と、枠部２と、振動板４ｂと、圧電素子４ａを備える。表示部１は、画像を表示するディスプレイパネル１ａを有する。枠部２は、ディスプレイパネル１ａの表面の周縁部および表示部１の側面を覆うように配置され、表裏方向と垂直に交わる方向に貫通する音孔３ｂを有する。振動板４ｂは、音孔３ｂにディスプレイパネル１ａと垂直に配置され、四方の端部を枠部２に把持される。圧電素子４ａは、振動板４ｂに対してディスプレイパネル１ａ側に配置され、かつ、振動板４ｂ上に配置される。
【００３７】
以上の構成により、狭額縁と高音質の両立が可能となる。
（実施の形態４）
［４−１．構成と動作］
図６は、実施の形態４に係る表示装置を上面から見た断面図である。
【００３８】
表示装置１０３は、図５で説明した表示装置１０２に対し、略Ｌ字型で音孔３ｂを覆うように構成され、音孔３ｂから振動板４ｂに対してディスプレイパネル１ａと反対側に放音される音声をディスプレイパネル１ａの表面側に誘導する反射板１５を備える。
［４−２．効果等］
以上のように、本実施の形態において、表示装置１０３は、表示装置１０２に加えて、反射板１５を備える。反射板１５は、略Ｌ字型で音孔３ｂを覆うように構成され、音孔３ｂから振動板４ｂに対してディスプレイパネル１ａと反対側に放音される音声をディスプレイパネル１ａの表面側に誘導する。
【００３９】
以上の構成により、狭額縁と高音質の両立が可能となるとともに、音孔を表示装置の側面に設けることでデザイン性を上げることができる。
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００４０】
そこで、以下、他の実施の形態を例示する。
【００４１】
上記実施の形態では、例えば、表示装置の左右の枠部に音孔を設ける例を説明した。しかしながら、上下の枠部において同様の構成をとってもよい。
【００４２】
以上のように、本開示における技術の例示として、実施の形態を説明した。そのために、添付図面および詳細な説明を提供した。
【００４３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４４】
また、上述の実施の形態は、本開示における技術を例示するためのものであるから、特許請求の範囲またはその均等の範囲において種々の変更、置き換え、付加、省略などを行うことができる。
【産業上の利用可能性】
【００４５】
本開示は、（本開示の作用）テレビジョン受像機だけでなく映像表示装置すべてに適用可能である。具体的には、タブレット端末、スマ-トフォン、映像モニタなどに、本開示は適用可能である。
【符号の説明】
【００４６】
１    表示部
１ａ  ディスプレイパネル
２    枠部
３ａ  音孔
３ｂ  音孔
４ａ  圧電素子
４ｂ  振動板
５ａ  ボイスコイル
５ｂ  プレート
５ｃ  振動板
５ｄ  エッジ
５ｅ  ヨーク
５ｆ  マグネット
５ｇ  固定金具
６    クッション
７    光学シート
８    導光板
９    モールドフレーム
１０  ＬＥＤ
１１  放熱板
１２  金具
１３  プリント基板
１４  バックカバー
１５  反射板
【図１】
2015186197.tif 000003
【図３】
2015186197.tif 000004
【図４】
2015186197.tif 000005
【図２】
2015186197.tif 000006
【図５】
2015186197.tif 000007
【図６】
2015186197.tif 000008